(57)【要約】【課題】筐体内部において機器ユニット底面からマザー基板までの空間を広く確保し、マザー基板上に高さのある回路部品を設置することを可能とすることを課題とする。【解決手段】ディスク装置１に、ディスク５を保持するターンテーブル４を回転させるスピンドルモータ３と、ディスク５上で情報を光学的に読み書きする光ピックアップ１０と、光ピックアップ１０に発生する静電気を中和して除去するための空気イオンを生成する除電器１２と、除電器１２に接続され、少なくとも一つの先端が光ピックアップ１０の待機位置付近に設置された複数のノズルと、除電器１２を制御して前記ノズルから空気イオンを吹出させる制御部１５と、を設ける。【選択図】図１
2006185517.tif 000002
【特許請求の範囲】
【請求項１】
ディスクを保持するターンテーブルを回転させるスピンドルモータと、
ディスク上で情報を光学的に読み書きする光ピックアップと、
前記光ピックアップに発生する静電気を中和して除去するための空気イオンを生成する除電器と、
前記除電器に接続され、少なくとも一つの先端が前記光ピックアップの待機位置付近に設置された複数のノズルと、
前記除電器を制御して前記ノズルから空気イオンを吹出させる制御部と、
を備えることを特徴とするディスク装置。
【請求項２】
前記スピンドルモータを固定するベースを備え、前記ベースの表面に空気イオンの流れを制御して前記ディスクの記録又は再生時における前記光ピックアップに空気イオンを送る複数の溝部が形成されると共に、前記溝部には前記ベースを貫通し前記複数のノズルの先端を挿入する孔が形成されていることを特徴とする請求項１に記載のディスク装置。
【請求項３】
前記制御部は、前記ディスクの記録又は再生が行われないときは前記除電器のノズルから待機位置における前記光ピックアップに空気イオンを吹き付け、前記ディスクの記録又は再生時には前記除電器のノズルから前記溝部を通じて前記光ピックアップに空気イオンを送ることを特徴とする請求項２に記載のディスク装置。
【発明の詳細な説明】
【技術分野】
【０００１】
本発明は、ディスク装置に関する。
【背景技術】
【０００２】
従来から、ＣＤ（Compact Disc）やＤＶＤ（Digital Versatile Disc）等の各種ディスク状情報記録媒体（以下、単に「ディスク」という）を収納して再生を行うディスク再生装置が提案され、実用化されている。
【０００３】
このようなディスク装置においては、ディスクの再生時にディスクの回転及びディスク装置内の空気によりディスク表面に静電気が発生する。そして、一般にディスク装置ではディスクの出し入れを可能とする機構が必要であることから、環境中の塵や埃などをディスク装置内に侵入させやすい。したがって、ディスクの再生時に発生した静電気によりディスク表面に塵や埃が付着すると、ディスクへの情報記録及びディスクからの情報再生を正確に行うことができないという問題があった。
【０００４】
そこで、ディスク表面における静電気の発生を防止すべく、ディスク表面にイオン化した圧縮空気を吹き付けるノズルを備えた除電器を有するディスク装置が提案されている（特許文献１〜特許文献３参照）。
【特許文献１】特開平５−２８７４０号公報
【特許文献２】特開平６−６０６０６号公報
【特許文献３】特開平６−６０６３０号公報
【発明の開示】
【発明が解決しようとする課題】
【０００５】
しかし、特許文献１〜特許文献３に記載のディスク装置が備える除電器は、いずれもディスク表面に発生する静電気を除去するためのものであった。
【０００６】
一方、ディスク装置内にはディスクを読み取る光ピックアップが備えられており、この光ピックアップにもディスクの回転時に空気との摩擦によって静電気が発生する。そして、ディスク装置内の塵や埃などが静電気によって付着すると、光ピックアップの光学的性質が劣化するという問題があった。
【０００７】
特に、光ピックアップが備える対物レンズはディスクの信号をレーザビームで直接読み取るため、ディスクの再生時においてはカバーなどを設けることができず露出した状態となっていることから、塵や埃などが付着しやすかった。
【０００８】
また、光ピックアップが備える対物レンズは主に電気的に不導体である樹脂系の材料によって構成されており、空気との摩擦によって静電気を発生させやすかった。
【０００９】
さらに、光ピックアップはディスク装置内の手の届かない場所に設置されることが多いため、人が直接清掃することができず、塵や埃の蓄積によって性能が劣化すると、光ピックアップ自体の製品寿命と判断されてしまうことがあった。
【００１０】
また、対物レンズクリーナなどを使用しても一時的な効果が得られるのみであり、逆に摩擦をかけることで更に静電気を発生させるだけでなく、光ピックアップに物理的な負荷をかけて性能を劣化させるおそれがあった。
【００１１】
本発明は上述した点に鑑みてなされたものであり、ディスクを読み取る光ピックアップに発生する静電気を除去して塵や埃の付着を防止し、光ピックアップの光学的性質の劣化を防止することを可能とするディスク装置を提供することを目的とする。
【課題を解決するための手段】
【００１２】
上記課題を解決するために請求項１に記載の発明は、ディスク装置であって、ディスクを保持するターンテーブルを回転させるスピンドルモータと、ディスク上で情報を光学的に読み書きする光ピックアップと、前記光ピックアップに発生する静電気を中和して除去するための空気イオンを生成する除電器と、前記除電器に接続され、少なくとも一つの先端が前記光ピックアップの待機位置付近に設置された複数のノズルと、前記除電器を制御して前記ノズルから空気イオンを吹出させる制御部と、を備えることを特徴とする。
【００１３】
請求項２に記載の発明は、請求項１に記載のディスク装置であって、前記スピンドルモータを固定するベースを備え、前記ベースの表面に空気イオンの流れを制御して前記ディスクの記録又は再生時における前記光ピックアップに空気イオンを送る複数の溝部が形成されると共に、前記溝部には前記ベースを貫通し前記複数のノズルの先端を挿入する孔が形成されていることを特徴とする。
【００１４】
請求項３に記載の発明は、請求項２に記載のディスク装置であって、前記制御部は、前記ディスクの記録又は再生が行われないときは前記除電器のノズルから待機位置における前記光ピックアップに空気イオンを吹き付け、前記ディスクの記録又は再生時には前記除電器のノズルから前記溝部を通じて前記光ピックアップに空気イオンを送ることを特徴とする。
【発明の効果】
【００１５】
本発明によれば、人の手による清掃を行わなくとも、ディスク装置内に備えられた光ピックアップに発生する静電気を除去し、塵や埃の付着を防止することができる。これにより、ディスクのデータを記録又は再生する際の信頼性が向上し、高品質・長寿命の製品とすることを可能とする。
特に、光ピックアップが備える対物レンズはディスクの再生時において常に露出している上に摩擦により静電気が発生しやすいが、本発明によれば、ディスクの記録・再生時においても静電気を除去して、ディスク５の記録又は再生の信頼性をさらに向上させて高品質・長寿命の製品とすることが可能となる。
【発明を実施するための最良の形態】
【００１６】
以下、本発明の実施形態について図面を参照して説明する。
【００１７】
本実施形態に係るディスク装置１は、ＣＤやＤＶＤなどのディスクにレーザ光を当てることにより音楽や映像などのデータを光学的に読み書きする装置である。図１に示すように、ディスク装置１には、ディスク装置１の各構成部分を取り付けるベース２が配置されている。
【００１８】
ベース２の下方には、回転軸を備えるスピンドルモータ３が、回転軸がベース２の中央付近を貫通するように配置されている。そして、スピンドルモータ３の回転軸の先端にはディスク５を保持するターンテーブル４が固定されている。このような構成により、スピンドルモータ３はディスク５を保持するターンテーブル４を回転駆動させるようになっている。
【００１９】
また、図１及び図２に示すように、ベース２には矩形状の開口部８が形成されている。さらに、ベース２の表面であってターンテーブル４に保持されたディスク５の下方には、スピンドルモータ３の回転軸を中心とした同心円状の溝部６が形成されており、溝部６の端部はベース２の開口部８まで延在している。溝部６の深さ寸法は１〜２ｍｍ程度が好ましい。また、本実施形態においては６本の溝部６を形成しているが、ベース２の表面に無数に細かい溝部６を形成することも可能である。
【００２０】
また、各溝部６には、ベース２を貫通する孔７が形成されている。本実施形態においては一つの溝部６に一つの孔７が、ディスク５の半径方向に一列に並ぶように形成されている。図３に示すように、ベース２のうち溝部６が形成されている表面付近では孔７の直径は溝部６の幅寸法と同一となるように形成されており、ベース２の厚さ方向の中程から孔７の直径がやや大きくなるように形成されている。
【００２１】
図１及び図２に示すように、ベース２のうちターンテーブル４が固定されている面と反対側の面には２本のシャフト９が開口部８の長手方向端部に沿うように平行に設けられている。そして、一方のシャフト９にディスク５に記録された情報を光学的に読み出す光ピックアップ１０の一端部に形成された主軸が固定され、他方のシャフト９に光ピックアップ１０の他端部に形成された係合部が係合されることにより、光ピックアップ１０はシャフト９に沿ってディスクの半径方向に往復動自在に取り付けられている。また、光ピックアップ１０には、対物レンズ１１、レーザダイオード（図示せず）及び光検出器（図示せず）が備えられており、図１及び図２に示すように、光ピックアップ１０の係合部がシャフト９に取り付けられた状態で、ベース２の開口部８から光ピックアップ７の対物レンズ８が備えられた面が表出するようになっている。
【００２２】
図２に示すように、ベース２のうちターンテーブル４が固定されている面と反対側の面には、静電気を中和して除去するためのイオン化した空気（以下「空気イオン」という。）を生成する除電器１２が備えられている。除電器１２にはエアノズル１３ａ及び複数のエアノズル１３ｂが接続されており、エアノズル１３ａの先端には吹出口１４が取り付けられている。
【００２３】
エアノズル１３ａは、ベース２のうちターンテーブル４が固定されている面と反対側の面から光ピックアップ１０の待機位置付近に形成された孔７に挿通され、エアノズル１３ａの先端に取り付けられた吹出口１４は光ピックアップ１０の待機位置付近に固定されている。このような構成により、待機位置で待機している光ピックアップ１０に吹出口１４から空気イオンが吹き付けられるようになっている。そして、光ピックアップ１０に付着した塵や埃などを空気イオンによって飛ばすと同時に、静電気の帯電による再付着を防止するようになっている。
【００２４】
一方、複数のエアノズル１３ｂは、ベース２のうちターンテーブル４が固定されている面と反対側の面から、ベース２の各溝部６に形成された孔７にそれぞれ挿入されている。図４に示すように、エアノズル１３ｂの先端を孔７に挿入することにより、エアノズル１３ｂから吹出される空気イオンが孔７から溝部６に送られるようになっている。そして、図５に示すように、ベース２の開口部８まで延在する溝部６によって空気イオンの流れが制御されて、ベース２の開口部８の内側に位置する光ピックアップ１０に空気イオンが送られるようになっている。このような構成により、ディスク５の回転によって発生した静電気を中和して除去し、塵や埃などの付着を防止することができるようになっている。また、除電器１２からエアノズル１３ｂに空気イオンを吹出す場合は、光ピックアップ１０に空気イオンを直接吹き付けることを避けて、光ピックアップ１０の性能が劣化することを防止することができるようになっている。
【００２５】
次に、図６を参照しつつ本実施の形態における制御部１５について説明する。
【００２６】
図６に示すように、ディスク装置１は、各種処理を実行する制御部１５を備えている。制御部１５にはスピンドルモータ３、サーボ制御機構１６、除電器１２がそれぞれインターフェース（図示せず）を介して接続されており、制御部１５は上記各構成部をそれぞれ駆動制御するようになっている。
【００２７】
制御部１５は、図示しない入力部からの指示信号などに従って、ディスク５の記録又は再生時においてスピンドルモータ３を駆動制御するようになっている。また、制御部１５は、ディスク５の記録又は再生時においてディスク５の表面のピット上に正しくレーザビームが当たるようにサーボ制御機構１６を制御するようになっている。ここで、サーボ制御機構１６とは、ディスク５の表面のピット上に正しくレーザビームを当てるために光ピックアップ８の位置を左右に動かして調整するトラッキングサーボ及び光ピックアップ８の位置を上下に動かして焦点を合わせるフォーカスサーボを制御する機構をいう。このサーボ制御機構１６により、光ピックアップ１０は、ディスク５の出し入れ時又は記録及び再生処理を行っていない時はベース２の開口部８の内側であってシャフト９のうちディスク５の外周部付近における光ピックアップ１０の待機位置で待機するようになっている。また、ディスク５の記録又は再生処理時においては、シャフト９に沿ってベース２の開口部８の内側をディスク５の内周部方向に移動するようになっている。
【００２８】
さらに、制御部１５は、ディスク装置１の電源と共に除電器１２をＯＮ／ＯＦＦするようになっている。なお、ディスク５がターンテーブル４に設置されているときはＯＮ、設置されていないときはＯＦＦとなるように制御することなども可能である。
【００２９】
また、制御部１５は、図示しない挿入口からディスク装置１内にディスク５が挿入されると、除電器１２を制御して、エアノズル１３ａから空気イオンを吹出すようになっている。これにより、ディスク５の非記録・非再生時には、待機位置で待機している光ピックアップ１０に吹出口１４から空気イオンが直接吹き付けられるようになっている。
【００３０】
さらに、制御部１５はスピンドルモータ３が回転駆動を開始すると、除電器１２を制御してエアノズル１３ａから空気イオンを吹出すのを停止し、エアノズル１３ｂから空気イオンを吹出すように切り換えるようになっている。これにより、ディスク５の記録・再生時には、エアノズル１３ｂから吹出した空気イオンの流れは溝部６により制御され、ベース２の開口部８の内側に位置する光ピックアップ１０まで送られるようになっている。
【００３１】
なお、本実施形態ではディスク５の非記録・非再生時には除電器１２を制御してエアノズル１３ａから空気イオンを吹出し、ディスク５の記録又は再生時にはエアノズル１３ｂから空気イオンを吹出す構成としたが、いずれの場合においてもエアノズル１３ａ，１３ｂから空気イオンを吹出す構成としても、本発明の効果を得ることができる。
【００３２】
次に、本実施形態におけるディスク装置１の作用について説明する。
【００３３】
ディスク装置１に電源を入れると、除電器１２は空気イオンの生成を開始する。
【００３４】
そして、図示しない挿入口からディスク装置１内にディスク５が挿入されると、制御部１５は除電器１２を制御してエアノズル１３ａから空気イオンを吹出させる。
【００３５】
一方、ディスク５の出し入れ時又は記録及び再生処理を行っていない時は、光ピックアップ１０はベース２の開口部８の内側であってシャフト９のうちディスク５の外周部付近における光ピックアップ１０の待機位置で待機する。
【００３６】
したがって、除電器１２を制御してエアノズル１３ａから空気イオンを吹出すと、空気イオンは、吹出口１４から待機位置で待機する光ピックアップ１０に直接吹き付けられる。これによって、光ピックアップ１０に付着した塵や埃などが空気イオンによって飛ばされると同時に、静電気の帯電による再付着が防止される。
【００３７】
また、制御部１５は、図示しない入力部からの指示信号などに従い、ディスク５の記録又は再生時においてスピンドルモータ３を駆動制御する。スピンドルモータ３は、ターンテーブル４を回転駆動するのに伴ってターンテーブル４に保持されたディスク５を回転させる。また、制御部１５は、サーボ制御機構１６を制御することにより、ディスク５の記録又は再生時においては、光ピックアップ１０をシャフト９に沿ってディスク５の内周部方向に移動させる。
【００３８】
一方、スピンドルモータ３が回転駆動を開始すると、制御部１５は除電器１２を制御してエアノズル１３ａから空気イオンを吹出すのを停止し、エアノズル１３ｂから空気イオンを吹出すように切り換える。したがって、ディスク５の記録・再生時には、エアノズル１３ｂから吹出した空気イオンの流れは溝部６により制御されて、ベース２の開口部８の内側に位置する光ピックアップ１０まで送られる。これにより、光ピックアップ１０に空気イオンを吹き付けることなく、ディスク５の回転によって発生した静電気を中和して除去することができる。
【００３９】
このように本実施形態のディスク装置によれば、ディスク５の出し入れ時又は記録及び再生処理を行っていない時は、空気イオンを光ピックアップ１０に直接吹き付けることにより、光ピックアップ１０に付着した塵や埃などを空気イオンによって飛ばすと同時に、静電気の帯電による再付着を防止することができる。これにより、ディスクにレーザビームを照射する対物レンズに塵や埃が付着することを防止し、光ピックアップ１０の光学的性質が劣化を防止することを可能とする。
【００４０】
また、ディスク５の記録又は再生処理時においては、溝部６から光ピックアップ１０に空気イオンを送ることにより、ディスク５の回転によって発生した静電気を中和して除去し、塵や埃などの付着を防止することができる。また、ディスク５の記録又は再生処理時に光ピックアップ１０に空気イオンを吹き付けることを避けて、光ピックアップ１０の性能が劣化することを防止できる。
【００４１】
以上詳述したように本発明によれば、人の手による清掃を行わなくとも、ディスク装置１内に備えられた光ピックアップ１０に発生する静電気を除去し、塵や埃の付着を防止することができる。これにより、ディスク５のデータを記録又は再生する際の信頼性が向上し、高品質・長寿命の製品とすることができる。
【００４２】
特に、光ピックアップ１０が備える対物レンズ１１はディスク５をレーザビームで直接読み取るためディスクの再生時において露出している上に摩擦により静電気が発生しやすいが、本発明によれば、ディスクの記録・再生時においても静電気を除去するため、さらにディスク５の記録又は再生の信頼性を向上させて高品質・長寿命の製品とすることができる。
【００４３】
また、対物レンズクリーナなどを用いないため、摩擦により更に静電気を発生させることはなく、光ピックアップ１０に物理的な負荷をかけて性能を劣化させることもない。
【００４４】
また、本実施形態ではディスク５の出し入れ時又は記録及び再生処理を行っていない時と、ディスク５の記録又は再生処理時とのいずれの場合においてもノズル１３ａ又はノズル１３ｂから空気イオンを吹出す構成としたが、ディスク５の記録又は再生処理時においては光ピックアップ１０に空気イオンを送らず、光ピックアップ１０が待機位置にある場合のみ空気イオンを吹き付けて除電を行う構成としても、十分に本発明の効果を得ることができる。
【図面の簡単な説明】
【００４５】
【図１】本発明の実施形態に係るディスク装置の構成を示す断面斜視図である。
【図２】本発明の実施形態に係るディスク装置を裏面からみた図である。
【図３】本発明の実施形態に係るディスク装置の構成を示す断面図である。
【図４】本発明の実施形態に係るディスク装置の孔及び溝部の構造を示す部分断面図である。
【図５】本発明の実施形態に係るディスク装置の溝部による空気イオンの制御を表す概念図である。
【図６】本発明の実施形態に係るディスク装置の制御構成を示すブロック図である。
【符号の説明】
【００４６】
１  ディスク装置
２  ベース
３  スピンドルモータ
４  ターンテーブル
５  ディスク
６  溝部
７  孔
８  開口部
９  シャフト
１０  光ピックアップ
１１  対物レンズ
１２  除電器
１３ａ，１３ｂ  エアノズル  
１４  吹出口
１５  制御部
【図１】
2006185517.tif 000003
【図２】
2006185517.tif 000004
【図３】
2006185517.tif 000005
【図４】
2006185517.tif 000006
【図５】
2006185517.tif 000007
【図６】
2006185517.tif 000008